【手続補正書】
【提出日】平成29年11月9日(2017.11.9)
【手続補正１】
【補正対象書類名】特許請求の範囲
【補正対象項目名】全文
【補正方法】変更
【補正の内容】
【特許請求の範囲】
【請求項１】
ピストン式圧縮機のピストンロッド（２）を封止するシールアセンブリ（１）であって、前記ピストンロッドは軸方向（Ａ）に延びて軸方向に往復移動可能であり、前記シールアセンブリは少なくとも１つのパッキンチャンバ（４）を備え、前記パッキンチャンバ（４）は軸方向（Ａ）に第１および第２側壁（５，６）によって区切られ、前記パッキンチャンバ（４）には、シールリング（７）または油かきリング（８）として構成されている少なくとも１つのパッキンリング（７８）およびばね具（９）が配置され、ばね具（９）および少なくとも１つのパッキンリング（７８）は前記第１側壁（５）から軸方向（Ａ）に順に配置され、前記パッキンリング（７８）は前記第２側壁（６）に当接するシールアセンブリにおいて、
前記ばね具（９）は、磁性ばねとして構成され、かつ軸方向（Ａ）に離間している２つのアセンブリ（９ａ，９ｂ）、第１アセンブリ（９ａ）および第２アセンブリ（９ｂ）からなり、
各アセンブリ（９ａ，９ｂ）は、少なくとも１つの磁石（１０ａ，１０ｂ）を備え、
前記磁石（１０ａ，１０ｂ）は、前記２つのアセンブリ（９ａ，９ｂ）が互いに反発するように相互に合わさるかたちで、前記２つのアセンブリ（９ａ，９ｂ）に配置され、
前記２つのアセンブリ（９ａ，９ｂ）は、軸方向（Ａ）と径方向とにそれぞれ相互に移動可能であることを特徴とするシールアセンブリ。
【請求項２】
請求項１記載のシールアセンブリにおいて、
軸方向（Ａ）に互いに隣接して配置されている少なくとも２つのパッキンリング（７８）を備えることを特徴とするシールアセンブリ。
【請求項３】
請求項１又は２に記載のシールアセンブリにおいて、
前記磁石（１０ａ，１０ｂ）は、永久磁石として構成されていることを特徴とするシールアセンブリ。
【請求項４】
請求項１又は２に記載のシールアセンブリにおいて、
前記磁石（１０ａ，１０ｂ）のうちの少なくとも１つは電磁石として構成されていることを特徴とするシールアセンブリ。
【請求項５】
請求項１〜４のいずれか一項に記載のシールアセンブリにおいて、
前記パッキンリング（７８）は、更に、前記第２アセンブリ（９ｂ）を備え、前記パッキンリング（７８）に磁石（１０ｂ）が配置されて、前記パッキンリング（７８）は非強磁性材料からなることを特徴とするシールアセンブリ。
【請求項６】
請求項１〜５のいずれか一項に記載のシールアセンブリにおいて、
少なくとも１つの磁石（１０ａ）は、チャンバディスク（３）が前記第１アセンブリ（９ａ）を包囲するように前記チャンバディスク（３）の前記第１側壁（５）に配置され、前記チャンバディスク（３）は非強磁性材料からなることを特徴とするシールアセンブリ。
【請求項７】
請求項１〜５のいずれか一項に記載のシールアセンブリにおいて、
前記第１アセンブリ（９ａ）は、少なくとも１つの磁石（１０ａ）が配置されるリング形の磁石キャリア（１１ａ）を包囲し、前記リング形の磁石キャリア（１１ａ）は前記パッキンチャンバ（４）に配置され、前記リング形の磁石キャリア（１１ａ）は第１側壁（５）に接触し、前記リング形の磁石キャリア（１１ａ）は非強磁性材料からなることを特徴とするシールアセンブリ。
【請求項８】
請求項６又は７に記載のシールアセンブリにおいて、
前記第２アセンブリ（９ｂ）は、少なくとも１つの磁石（１０ｂ）が配置されるリング形の磁石キャリア（１１ｂ）を包囲し、前記リング形の磁石キャリア（１１ｂ）は前記パッキンチャンバ（４）に配置され、前記リング形の磁石キャリア（１１ｂ）は前記パッキンリング（７８）に接触し、前記リング形の磁石キャリア（１１ｂ）は非強磁性材料からなることを特徴とするシールアセンブリ。
【請求項９】
請求項１〜３及び請求項５〜８のいずれか一項に記載のシールアセンブリにおいて、
前記磁石（１０ａ，１０ｂ）は永久磁石であり、リング形構成を有し、周方向（１０ｃ）に３６０°延びていることを特徴とするシールアセンブリ。
【請求項１０】
請求項９に記載のシールアセンブリにおいて、
前記永久磁石（１０ａ，１０ｂ）は半径方向に磁化されることを特徴とするシールアセンブリ。
【請求項１１】
請求項９に記載のシールアセンブリにおいて、
前記永久磁石（１０ａ，１０ｂ）は軸方向に磁化されることを特徴とするシールアセンブリ。
【請求項１２】
請求項９〜１１のいずれか一項に記載のシールアセンブリにおいて、
前記永久磁石（１０ａ，１０ｂ）は一部品で構成されていることを特徴とするシールアセンブリ。
【請求項１３】
請求項９〜１１のいずれか一項に記載のシールアセンブリにおいて、
前記永久磁石（１０ａ，１０ｂ）は、周方向（１０ｃ）に順に配置されている複数の永久磁石部品（１０ｄ，１０ｅ，１０ｆ，１０ｇ）からなることを特徴とするシールアセンブリ。
【請求項１４】
請求項１３に記載のシールアセンブリにおいて、
順に配置されている前記永久磁石部品（１０ｄ，１０ｅ，１０ｆ，１０ｇ）は、反対方向に磁化されることを特徴とするシールアセンブリ。
【請求項１５】
請求項１〜３及び請求項５〜８のいずれか一項に記載のシールアセンブリにおいて、
前記磁石（１０ａ，１０ｂ）は永久磁石として構成され、各アセンブリ（９ａ，９ｂ）は複数の永久磁石（１０ａ，１０ｂ）を備え、前記永久磁石（１０ａ，１０ｂ）は、第１および第２のアセンブリ（９ａ，９ｂ）の永久磁石（１０ａ，１０ｂ）が軸方向（Ａ）に互いに反対に配置されるよう相互に合わさるかたちで、周方向（１０ｃ）に離間して配置され、前記永久磁石（１０ａ，１０ｂ）は軸方向（Ａ）に磁化され、軸方向（Ａ）に互いに反対に配置される前記永久磁石（１０ａ，１０ｂ）は反対方向に磁化されることを特徴とするシールアセンブリ。
【請求項１６】
請求項４に記載のシールアセンブリにおいて、
測定された状態変数に応じて前記ばね具（９）のばね力（Ｆ）を変更するため、ピストン式圧縮機の状態変数を検出する調整器（１５）およびセンサ（１５ｄ）と、電磁石として構成された前記磁石（１０ａ）を制御するための制御器（１５ｅ）とを備えることを特徴とするシールアセンブリ。
【請求項１７】
ピストン式圧縮機のピストンロッド（２）を封止するシールアセンブリ（１）の操作方法であって、前記ピストンロッドは軸方向（Ａ）に延びて軸方向（Ａ）に往復移動可能であり、前記シールアセンブリ（１）は少なくとも１つのパッキンチャンバ（４）を備え、前記パッキンチャンバ（４）内には、電磁石を備える磁性ばね具（９）と少なくとも１つのパッキンリング（７８）とが軸方向（Ａ）に順に配置され、磁性ばね具（９）は、軸方向（Ａ）に離間している２つのアセンブリ（９ａ，９ｂ）を備え、前記２つのアセンブリ（９ａ，９ｂ）は、軸方向（Ａ）と径方向とにそれぞれ相互に移動可能であり、状態変数に応じて前記パッキンリング（７８）に前記磁性ばね具（９）によって加えられるばね力（Ｆ）を変更するため、前記ピストン式圧縮機の状態変数が測定され、前記電磁石が前記状態変数に応じて制御されることを特徴とする操作方法。
【請求項１８】
請求項１７に記載の操作方法において、
前記ピストン式圧縮機の回転速度が前記状態変数として測定され、前記ばね力（Ｆ）は速度が増すと上昇し、速度が低下すると減少することを特徴とする操作方法。
【請求項１９】
請求項１７に記載の操作方法において、
前記ピストンロッド（２）の速度が前記状態変数として測定されて、前記ばね力（Ｆ）は速度が増すと上昇し、速度が低下すると減少することを特徴とする操作方法。